【手続補正書】
【提出日】平成19年12月26日(2007.12.26)
【手続補正１】
【補正対象書類名】明細書
【補正対象項目名】特許請求の範囲
【補正方法】変更
【補正の内容】
【特許請求の範囲】
【請求項１】
トランジスタと、
第１の電極及び第２の電極を有する容量素子と、
前記トランジスタのソースに電気的に接続された定電流源と、
複数のスイッチング素子とを有するソースフォロワであって、
前記トランジスタのゲートに第１の電位が、前記第１の電極に入力電位がそれぞれ供給され、なおかつ前記第２の電極と前記トランジスタのソースが電気的に接続された第１の形態と、前記第１の電極及び前記トランジスタのゲートに入力電位が供給され、なおかつ前記第２の電極をフローティングとする第２の形態と、前記第１の電極及び前記トランジスタのゲートを電気的に接続した状態でフローティングとし、なおかつ前記第２の電極に第２の電位を供給する第３の形態とのいずれか１つが、前記複数のスイッチング素子によって選択され、
前記トランジスタのドレインには第３の電位が与えられ、
前記トランジスタのソースの電位が出力されることを特徴とするソースフォロワ。
【請求項２】
請求項１において、
前記第１の形態は、書き込み期間であり、
前記第２の形態は、保持期間であり、
前記第３の形態は、出力期間であることを特徴とするソースフォロワ。
【請求項３】
トランジスタと、
第１の電極及び第２の電極を有する容量素子と、
前記第１の電極への入力電位の供給を制御する第１のスイッチング素子と、
前記トランジスタのゲートへの第１の電位の供給を制御する第２のスイッチング素子と、
前記トランジスタのゲートと、前記第１の電極との電気的な接続を制御する第３のスイッチング素子と、
前記第２の電極への第２の電位の供給を制御する第４のスイッチング素子と、
前記第２の電極と前記トランジスタのソースの電気的な接続を制御する第５のスイッチング素子と、
前記トランジスタのソースに電気的に接続された定電流源と、を有することを特徴とするソースフォロワ。
【請求項４】
トランジスタと、
第１の電極及び第２の電極を有する容量素子と、
前記第１の電極への入力電位の供給を制御する第１のスイッチング素子と、
前記トランジスタのゲートへの第１の電位の供給を制御する第２のスイッチング素子と、
前記トランジスタのゲートと、前記第１の電極との電気的な接続を制御する第３のスイッチング素子と、
前記第２の電極への第２の電位の供給を制御する第４のスイッチング素子と、
前記第２の電極と前記トランジスタのソースの電気的な接続を制御する第５のスイッチング素子と、
前記トランジスタのソースに電気的に接続された定電流源と、
を有するソースフォロワであって、
前記第２のスイッチング素子及び前記第３のスイッチング素子によって、前記第１の電極への前記第１の電位の供給が制御され、
前記トランジスタのドレインには第３の電位が与えられ、
前記トランジスタのソースの電位が出力されることを特徴とするソースフォロワ。
【請求項５】
オペアンプと、
第１の電極及び第２の電極を有する容量素子と、
複数のスイッチング素子とを有するボルテージフォロワであって、
前記オペアンプの非反転入力端子に第１の電位が、前記第１の電極に入力電位がそれぞれ供給され、なおかつ前記第２の電極と前記オペアンプの出力端子が電気的に接続された第１の形態と、前記第１の電極及び前記非反転入力端子に入力電位が供給され、なおかつ前記第２の電極をフローティングとする第２の形態と、前記第１の電極及び前記非反転入力端子を電気的に接続した状態でフローティングとし、なおかつ前記第２の電極に第２の電位を供給する第３の形態とのいずれか１つが、前記複数のスイッチング素子によって選択され、
前記オペアンプの反転入力端子は前記出力端子に電気的に接続され、
前記出力端子の電位が出力されることを特徴とするボルテージフォロワ。
【請求項６】
請求項５において、
前記第１の形態は、書き込み期間であり、
前記第２の形態は、保持期間であり、
前記第３の形態は、出力期間であることを特徴とするボルテージフォロワ。
【請求項７】
オペアンプと、
第１の電極及び第２の電極を有する容量素子と、
前記第１の電極への入力電位の供給を制御する第１のスイッチング素子と、
前記オペアンプの非反転入力端子への第１の電位の供給を制御する第２のスイッチング素子と、
前記非反転入力端子と、前記第１の電極との電気的な接続を制御する第３のスイッチング素子と、
前記第２の電極への第２の電位の供給を制御する第４のスイッチング素子と、
前記第２の電極と前記オペアンプの出力端子の電気的な接続を制御する第５のスイッチング素子と、を有するボルテージフォロワ。
【請求項８】
オペアンプと、
第１の電極及び第２の電極を有する容量素子と、
前記第１の電極への入力電位の供給を制御する第１のスイッチング素子と、
前記オペアンプの非反転入力端子への第１の電位の供給を制御する第２のスイッチング素子と、
前記非反転入力端子と、前記第１の電極との電気的な接続を制御する第３のスイッチング素子と、
前記第２の電極への第２の電位の供給を制御する第４のスイッチング素子と、
前記第２の電極と前記オペアンプの出力端子の電気的な接続を制御する第５のスイッチング素子と、
を有するボルテージフォロワであって、
前記第２のスイッチング素子及び前記第３のスイッチング素子によって、前記第１の電極への前記第１の電位の供給が制御され、
前記オペアンプの反転入力端子は前記出力端子に電気的に接続され、
前記出力端子の電位が出力されることを特徴とするボルテージフォロワ。
【請求項９】
請求項１乃至４のいずれか一に記載の前記ソースフォロワを有する半導体装置であって、
前記半導体装置は表示素子を備えた画素を有しており、
ビデオ信号の電位が前記ソースフォロワに前記入力電位として与えられ、
前記ソースフォロワの前記出力電位が信号線を介して前記画素に供給されることを特徴とする半導体装置。
【請求項１０】
請求項１乃至４のいずれか一に記載の前記ソースフォロワと、第１のアナログラッチと、第２のアナログラッチとを信号線駆動回路に有する半導体装置であって、
前記半導体装置は表示素子を備えた画素を有しており、
前記第１のアナログラッチに順に入力されたビデオ信号の電位が、前記第２のアナログラッチに書き込まれた後、前記ソースフォロワに前記入力電位として与えられ、
前記ソースフォロワの前記出力電位が信号線を介して前記画素に供給されることを特徴とする半導体装置。
【請求項１１】
請求項１乃至４のいずれか一に記載の前記ソースフォロワと、アナログラッチとを信号線駆動回路に有する半導体装置であって、
前記半導体装置は表示素子を備えた画素を有しており、
前記アナログラッチに順に入力されたビデオ信号の電位が、前記ソースフォロワに前記入力電位として与えられ、
前記ソースフォロワの前記出力電位が信号線を介して前記画素に供給されることを特徴とする半導体装置。
【請求項１２】
請求項８乃至１１のいずれか一に記載の前記ボルテージフォロワを有する半導体装置であって、
前記半導体装置は表示素子を備えた画素を有しており、
ビデオ信号の電位が前記ボルテージフォロワに前記入力電位として与えられ、
前記ボルテージフォロワの前記出力電位が信号線を介して前記画素に供給されることを特徴とする半導体装置。
【請求項１３】
請求項８乃至１１のいずれか一に記載の前記ボルテージフォロワと、第１のアナログラッチと、第２のアナログラッチとを信号線駆動回路に有する半導体装置であって、
前記半導体装置は表示素子を備えた画素を有しており、
前記第１のアナログラッチに順に入力されたビデオ信号の電位が、前記第２のアナログラッチに書き込まれた後、前記ボルテージフォロワに前記入力電位として与えられ、
前記ボルテージフォロワの前記出力電位が信号線を介して前記画素に供給されることを特徴とする半導体装置。
【請求項１４】
請求項８乃至１１のいずれか一に記載の前記ボルテージフォロワと、アナログラッチとを信号線駆動回路に有する半導体装置であって、
前記半導体装置は表示素子を備えた画素を有しており、
前記アナログラッチに順に入力されたビデオ信号の電位が、前記ボルテージフォロワに前記入力電位として与えられ、
前記ボルテージフォロワの前記出力電位が信号線を介して前記画素に供給されることを特徴とする半導体装置。